(57)【要約】ＴＲＸ３５が送信データを変調する際、その送信データのエラー判定を実施して、その判定結果をＢＢ３６に出力する一方、ＢＢ３６がＴＲＸ３５から出力された受信データのエラー判定を実施し、その判定結果とＴＲＸ３５から出力された判定結果に基づいてヘルスチェックを実施する。
2004002045.tif 000002
【特許請求の範囲】
【請求項１】
有線ネットワークから出力された送信データをスペクトル拡散して出力する一方、受信データを逆スペクトル拡散して上記有線ネットワークに出力する拡散処理手段と、上記拡散処理手段によりスペクトル拡散された送信データを変調して、その変調信号をアンテナから送信させる一方、上記アンテナにより受信された変調信号を復調して、その復調信号である受信データを上記拡散処理手段に出力する無線送受信手段とを備えた無線基地局装置において、上記無線送受信手段が送信データを変調する際、その送信データのエラー判定を実施して、その判定結果を上記拡散処理手段に出力する一方、上記拡散処理手段が上記無線送受信手段から出力された受信データのエラー判定を実施し、その判定結果と上記無線送受信手段から出力された判定結果に基づいてヘルスチェックを実施することを特徴とする無線基地局装置。
【請求項２】
拡散処理手段が送信データを無線送受信手段に出力する際、その送信データに対するパリティ信号を上記無線送受信手段に出力し、上記無線送受信手段が当該パリティ信号を参照して送信データのエラー判定を実施することを特徴とする請求の範囲第１項記載の無線基地局装置。
【請求項３】
拡散処理手段は、同期信号伝送用の信号線を介して、送信データに対するパリティ信号を無線送受信手段に出力することを特徴とする請求の範囲第２項記載の無線基地局装置。
【請求項４】
無線送受信手段が受信データを拡散処理手段に出力する際、その受信データに対するパリティ信号を上記拡散処理手段に出力し、上記拡散処理手段が当該パリティ信号を参照して受信データのエラー判定を実施することを特徴とする請求の範囲第１項記載の無線基地局装置。
【請求項５】
無線送受信手段は、受信データ伝送用の信号線を介して、受信データに対するパリティ信号と判定結果を拡散処理手段に出力することを特徴とする請求の範囲第４項記載の無線基地局装置。
【発明の詳細な説明】
【技術分野】  この発明は、ベースバンド信号処理部と無線送受信部間の信号のヘルスチェックを実施するＣＤＭＡ（Ｃｏｄｅ  Ｄｉｖｉｓｉｏｎ  Ｍｕｌｔｉｐｌｅ  Ａｃｃｅｓｓ：符号分割多元接続）方式の無線基地局装置に関するものである。
【背景技術】  第１図は従来の無線基地局装置を示す構成図であり、図において、１は複数の無線基地局装置２と有線伝送路を介して接続され、複数の無線基地局装置２を制御するネットワーク制御装置、２はネットワーク制御装置１から出力された送信データを無線端末３に送信し、その無線端末３から送信された受信データをネットワーク制御装置１に出力する無線基地局装置、３は無線端末である。
１１，１２は送信ダイバシティ及びダイバシティ受信を実施する一対のアンテナ、１３はアンテナ１１，１２により受信された無線信号である変調信号を増幅し、増幅後の変調信号を無線送受信部１５に出力する屋外受信増幅器、１４は無線送受信部１５から出力された無線信号である変調信号を増幅し、増幅後の変調信号をアンテナ１１，１２に出力する送信増幅器である。
１５はベースバンド信号処理部１６によりスペクトル拡散された送信データを変調して、その変調信号を送信増幅器１４に出力する一方、屋外受信増幅器１３から出力された変調信号を復調して、その復調信号である受信データをベースバンド信号処理部１６に出力する無線送受信部（以下、ＴＲＸ：Ｔｒａｎｓｍｉｔｔｅｒ  ＆  Ｒｅｃｅｉｖｅｒという）、１６は有線伝送路インタフェース部１７から出力された送信データをスペクトル拡散してＴＲＸ１５に出力する一方、ＴＲＸ１５から出力された受信データを逆スペクトル拡散して有線伝送路インタフェース部１７に出力するベースバンド信号処理部（以下、ＢＢ：Ｂａｓｅ  Ｂａｎｄ  ｓｉｇｎａｌ  Ｐｒｏｃｅｓｓｏｒという）である。
１７はネットワーク制御装置１から出力された送信データをＢＢ１６に出力し、ＢＢ１６から出力された受信データをネットワーク制御装置１に出力する有線伝送路インタフェース部、１８はネットワーク制御装置１と呼処理制御信号の送受信を実施し、その呼処理制御信号にしたがって送信データを変調するキャリア周波数の指定等を行う呼処理制御部、１９はネットワーク制御装置１と保守監視制御信号の送受信を実施し、その保守監視制御信号にしたがって無線基地局装置２の保守や状態変化を行う保守監視制御部である。
次に動作について説明する。
最初に、無線基地局装置２がネットワーク制御装置１から出力された送信データを無線端末３に送信する場合の動作を説明する。
無線基地局装置２の有線伝送路インタフェース部１７は、ネットワーク制御装置１が有線伝送路に送信データを出力すると、その有線伝送路から送信データを取り込んでＢＢ１６に出力する。
無線基地局装置２のＢＢ１６は、有線伝送路インタフェース部１７から送信データを受けると、その送信データに対する誤り訂正符号化処理やフレーム化処理を実施したのち、その送信データを相互に位相が直交するＩ成分とＱ成分に分離し、その信号系列（Ｉ，Ｑ）をそれぞれスペクトル拡散してＴＲＸ１５に出力する。
この際、ＢＢ１６は、呼処理制御部１８から信号系列（Ｉ，Ｑ）を変調するキャリア周波数を示す周波数通知信号（ｆＡ，ｆＢ，ｆＣ，ｆＤの４キャリアのうち、いずれかのキャリアを示す信号）を受けるので、その周波数通知信号をＴＲＸ１５に出力する。
無線基地局装置２のＴＲＸ１５は、ＢＢ１６からスペクトル拡散後の信号系列（Ｉ，Ｑ）と周波数通知信号を受けると、その周波数通知信号が示すキャリア周波数で信号系列（Ｉ，Ｑ）を直交変調し、その変調信号を送信増幅器１４に出力する。
なお、ＴＲＸ１５は、ＢＢ１６からスペクトル拡散後の信号系列（Ｉ，Ｑ）を受けると、その信号系列（Ｉ，Ｑ）に対するエラー判定を実施する。
無線基地局装置２の送信増幅器１４は、ＴＲＸ１５から変調信号を受けると、その変調信号を増幅し、増幅後の変調信号をアンテナ１１，１２に出力する。
これにより、アンテナ１１，１２から変調信号である無線信号が無線端末３に送信される。
次に、無線基地局装置２が無線端末３から送信された無線信号を受信して、その受信データをネットワーク制御装置１に出力する場合の動作を説明する。
無線基地局装置２の屋外受信増幅器１３は、アンテナ１１，１２が無線端末３から送信された無線信号をダイバシティ受信すると、その無線信号である変調信号を増幅し、増幅後の変調信号をＴＲＸ１５に出力する。
無線基地局装置２のＴＲＸ１５は、屋外受信増幅器１３から増幅後の変調信号を受けると、その変調信号のＩ成分とＱ成分を同期検波し、Ｉ成分とＱ成分のベースバンド信号をＢＢ１６に出力する。
無線基地局装置２のＢＢ１６は、ＴＲＸ１５からＩ成分とＱ成分のベースバンド信号を受けると、Ｉ成分とＱ成分のベースバンド信号に対する逆スペクトル拡散処理を実施して、チップ同期処理、誤り訂正復号処理やダイバーシチハンドオーバ時の最大比合成処理等を実施し、処理後のデータを受信データとして有線伝送路インタフェース部１７に出力する。
なお、ＢＢ１６は、Ｉ成分とＱ成分のベースバンド信号を受けると、そのベースバンド信号に対するエラー判定を実施する。
無線基地局装置２の有線伝送路インタフェース部１７は、ＢＢ１６から受信データを受けると、その受信データを有線伝送路を介してネットワーク制御装置１に出力する。
従来の無線基地局装置は以上のように構成されているので、ＢＢ１６の出力信号（下り方向信号）に対するエラー判定はＴＲＸ１５で実施され、ＴＲＸ１５の出力信号（上り方向信号）に対するエラー判定はＢＢ１６で実施されるが、双方の判定結果を総括して最終的な判定を行うことができないなどの課題があった。
この発明は上記のような課題を解決するためになされたもので、下り方向信号に対するエラーの判定結果と、上り方向信号に対するエラーの判定結果とを総括して最終的な判定を行うことができる無線基地局装置を得ることを目的とする。
【発明の開示】
この発明に係る無線基地局装置は、無線送受信手段が送信データを変調する際、その送信データのエラー判定を実施して、その判定結果を拡散処理手段に出力する一方、拡散処理手段が無線送受信手段から出力された受信データのエラー判定を実施し、その判定結果と無線送受信手段から出力された判定結果に基づいてヘルスチェックを実施するようにしたものである。
このことによって、下り方向信号に対するエラーの判定結果と、上り方向信号に対するエラーの判定結果とを総括して最終的な判定を行うことができる効果がある。
この発明に係る無線基地局装置は、拡散処理手段が送信データを無線送受信手段に出力する際、その送信データに対するパリティ信号を無線送受信手段に出力し、無線送受信手段が当該パリティ信号を参照して送信データのエラー判定を実施するようにしたものである。
このことによって、構成の複雑化を招くことなく、エラー判定を実施することができる効果がある。
この発明に係る無線基地局装置は、拡散処理手段が同期信号伝送用の信号線を介して、送信データに対するパリティ信号を無線送受信手段に出力するようにしたものである。
このことによって、装置構成を簡略化することができる効果がある。
この発明に係る無線基地局装置は、無線送受信手段が受信データを拡散処理手段に出力する際、その受信データに対するパリティ信号を拡散処理手段に出力し、拡散処理手段が当該パリティ信号を参照して受信データのエラー判定を実施するようにしたものである。
このことによって、構成の複雑化を招くことなく、エラー判定を実施することができる効果がある。
この発明に係る無線基地局装置は、無線送受信手段が受信データ伝送用の信号線を介して、受信データに対するパリティ信号と判定結果を拡散処理手段に出力するようにしたものである。
このことによって、装置構成を簡略化することができる効果がある。
【図面の簡単な説明】  第１図は従来の無線基地局装置を示す構成図である。
第２図はこの発明の実施の形態１による無線基地局装置を示す構成図である。
第３図は無線基地局装置２２の物理的構成を示す物理構成図である。
第４図はＢＢ３６とＴＲＸ３５間の上り／下り信号伝送を示す説明図である。
第５図は第４図の▲１▼及び▲３▼における下りＩＱバスのデータフォーマット示す説明図である。
第６図は第４図の▲４▼における上りＩＱバスのデータフォーマットを示す説明図である。
第７図は第６図における伝送路のステータスビットＰ０，Ｐ１の伝送タイミングを示す説明図である。
【発明を実施するための最良の形態】  以下、この発明をより詳細に説明するために、この発明を実施するための最良の形態について、添付の図面に従って説明する。
実施の形態１．
第２図はこの発明の実施の形態１による無線基地局装置を示す構成図であり、図において、２１は複数の無線基地局装置２２と有線伝送路を介して接続され、複数の無線基地局装置２２を制御するネットワーク制御装置（有線ネットワーク）、２２はネットワーク制御装置２１から出力された送信データを無線端末２３に送信し、その無線端末２３から送信された受信データをネットワーク制御装置２１に出力する無線基地局装置、２３は無線端末である。
３１，３２は送信ダイバシティ及びダイバシティ受信を実施する一対のアンテナ、３３はアンテナ３１，３２により受信された無線信号である変調信号を増幅し、増幅後の変調信号をＴＲＸ３５に出力する屋外受信増幅器、３４はＴＲＸ３５から出力された無線信号である変調信号を増幅し、増幅後の変調信号をアンテナ３１，３２に出力する送信増幅器である。
３５はＢＢ３６によりスペクトル拡散された送信データを変調して、その変調信号を送信増幅器３４に出力する一方、屋外受信増幅器３３から出力された変調信号を復調して、その復調信号である受信データをＢＢ３６に出力する無線送受信部であるＴＲＸ（無線送受信手段）、３６は有線伝送路インタフェース部３７から出力された送信データをスペクトル拡散してＴＲＸ３５に出力する一方、ＴＲＸ３５から出力された受信データを逆スペクトル拡散して有線伝送路インタフェース部３７に出力するベースバンド信号処理部であるＢＢ（拡散処理手段）、３７はネットワーク制御装置２１から出力された送信データをＢＢ３６に出力し、ＢＢ３６から出力された受信データをネットワーク制御装置２１に出力する有線伝送路インタフェース部である。
３８はネットワーク制御装置２１と呼処理制御信号の送受信を実施し、その呼処理制御信号にしたがって送信データを変調するキャリア周波数の指定等を行う呼処理制御部、３９はネットワーク制御装置２１と保守監視制御信号の送受信を実施し、その保守監視制御信号にしたがって無線基地局装置２２の保守や状態変化を行う保守監視制御部である。
次に動作について説明する。
最初に、無線基地局装置２２がネットワーク制御装置２１から出力された送信データを無線端末２３に送信する場合の動作を説明する。
無線基地局装置２２の有線伝送路インタフェース部３７は、ネットワーク制御装置２１が有線伝送路に送信データを出力すると、その有線伝送路から送信データを取り込んでＢＢ３６に出力する。
無線基地局装置２２のＢＢ３６は、有線伝送路インタフェース部３７から送信データを受けると、その送信データに対する誤り訂正符号化処理やフレーム化処理を実施したのち、その送信データを相互に位相が直交するＩ成分とＱ成分に分離し、その信号系列（Ｉ，Ｑ）をそれぞれスペクトル拡散してＴＲＸ３５に出力する。
この際、ＢＢ３６は、呼処理制御部３８から信号系列（Ｉ，Ｑ）を変調するキャリア周波数を示す周波数通知信号（ｆＡ，ｆＢ，ｆＣ，ｆＤの４キャリアのうち、いずれかのキャリアを示す信号）を受けるので、その周波数通知信号をＴＲＸ３５に出力する。また、ＴＲＸ３５が下り方向信号である信号系列（Ｉ，Ｑ）のエラー判定を実施できるようにするため、その信号系列（Ｉ，Ｑ）に対するパリティ信号をＴＲＸ３５に出力する。
無線基地局装置２２のＴＲＸ３５は、ＢＢ３６からスペクトル拡散後の信号系列（Ｉ，Ｑ）と周波数通知信号とパリティ信号とを受けると、その周波数通知信号が示すキャリア周波数で信号系列（Ｉ，Ｑ）を直交変調し、その変調信号を送信増幅器３４に出力する。
また、ＴＲＸ３５は、スペクトル拡散後の信号系列（Ｉ，Ｑ）とパリティ信号に基づいて、その信号系列（Ｉ，Ｑ）に対するエラー判定を実施する。
無線基地局装置２２の送信増幅器３４は、ＴＲＸ３５から変調信号を受けると、その変調信号を増幅し、増幅後の変調信号をアンテナ３１，３２に出力する。
これにより、アンテナ３１，３２から変調信号である無線信号が無線端末２３に送信される。
次に、無線基地局装置２２が無線端末２３から送信された無線信号を受信して、その受信データをネットワーク制御装置２１に出力する場合の動作を説明する。
無線基地局装置２２の屋外受信増幅器３３は、アンテナ３１，３２が無線端末２３から送信された無線信号をダイバシティ受信すると、その無線信号である変調信号を増幅し、増幅後の変調信号をＴＲＸ３５に出力する。
無線基地局装置２２のＴＲＸ３５は、屋外受信増幅器３３から増幅後の変調信号を受けると、その変調信号のＩ成分とＱ成分を同期検波し、Ｉ成分とＱ成分のベースバンド信号をＢＢ３６に出力する。
この際、ＴＲＸ３５は、上述した下り方向信号に対するエラーの判定結果と、上り方向信号であるＩ成分とＱ成分のベースバンド信号に対するパリティ信号とをＢＢ３６に出力する。
無線基地局装置２２のＢＢ３６は、ＴＲＸ３５からＩ成分及びＱ成分のベースバンド信号と、下り方向信号に対するエラーの判定結果と、上り方向信号に対するパリティ信号とを受けると、Ｉ成分とＱ成分のベースバンド信号に対する逆スペクトル拡散処理を実施して、チップ同期処理、誤り訂正復号処理やダイバーシチハンドオーバ時の最大比合成処理等を実施し、処理後のデータを受信データとして有線伝送路インタフェース部３７に出力する。
また、ＢＢ３６は、Ｉ成分及びＱ成分のベースバンド信号と、上り方向信号に対するパリティ信号とに基づいて、そのベースバンド信号に対するエラー判定を実施する。
そして、ＢＢ３６は、上り方向信号に対するエラーの判定結果と、下り方向信号に対するエラーの判定結果とから、双方の判定結果を総括して最終的な判定（ヘルスチェック）を行う。例えば、上り方向信号に対するエラーの判定結果が“正常”を示し、かつ、下り方向信号に対するエラーの判定結果が“正常”を示すとき、無線基地局装置２２が正常であると認定し、それ以外のとき異常であると認定する。
無線基地局装置２２の有線伝送路インタフェース部３７は、ＢＢ３６から受信データを受けると、その受信データを有線伝送路を介してネットワーク制御装置２１に出力する。
以上で明らかなように、この実施の形態１によれば、ＴＲＸ３５が送信データを変調する際、その送信データのエラー判定を実施して、その判定結果をＢＢ３６に出力する一方、ＢＢ３６がＴＲＸ３５から出力された受信データのエラー判定を実施し、その判定結果とＴＲＸ３５から出力された判定結果に基づいてヘルスチェックを実施するように構成したので、下り方向信号に対するエラーの判定結果と、上り方向信号に対するエラーの判定結果とを総括して最終的な判定を行うことができる効果を奏する。
実施の形態２．
上記実施の形態１では、ＢＢ３６が信号系列（Ｉ，Ｑ）に対するパリティ信号をＴＲＸ３５に出力するものについて示したが、同期信号伝送用の信号線を介して、信号系列（Ｉ，Ｑ）に対するパリティ信号をＴＲＸ３５に出力するようにしてもよい。
また、ＴＲＸ３５は、受信データ伝送用の信号線を介して、下り方向信号に対するエラーの判定結果と、Ｉ成分とＱ成分のベースバンド信号に対するパリティ信号とをＢＢ３６に出力するようにしてもよい。
具体的には次の通りである。
第３図は第２図の無線基地局装置２２の物理的構成を示す物理構成図である。
ＴＲＸ３５、ＢＢ３６、有線伝送路インタフェース部３７、呼処理制御部３８及び保守監視制御部３９は、カード型のプリント配線基板によって構成される。無線基地局装置２２の筐体には、各カードを格納するためのシェルフが形成され、背面側には格納されたカード同士を接続するためのバックボード（ＢＷＢ：Ｂａｃｋｗｉｒｅｄ  Ｂｏａｒｄ）４０が配置される。
上段シェルフに格納されたＴＲＸ３５は、キャリア周波数ｆＡ，ｆＢのいずれかで直交変調を実施し、下段シェルフに格納されたＴＲＸ３５は、キャリア周波数ｆＣ，ｆＤのいずれかで直交変調を実施する。また、上段及び下段の両シェルフに格納された全てのＢＢ３６は、４キャリア（ｆＡ〜ｆＤ）のいずれのキャリア周波数にも対応可能であり、呼処理制御部３８からの指令によって担当するキャリア周波数を動的に割当てることができる。
第４図は第２図のＢＢ３６とＴＲＸ３５間の上り／下り信号伝送を示す説明図である。
各ＢＢ３６は、変調部４１、シリアライザであるＳＥＲ（Ｓｅｒｉａｌｉｚｅｒ）４２、ＬＶＤＳ（Ｌｏｗ  Ｖｏｌｔａｇｅ  Ｄｉｆｆｅｒｅｎｔｉａｌ  Ｓｉｇｎａｌｉｎｇ）４３及び復調部４４を備えており、ＴＲＸ３５はデシリアライザ５１、多重処理部５２、受信処理部５３及びＬＶＤＳ５４を備えている。
下り方向信号の伝送では、ＢＢ３６の変調部４１において拡散変調された信号が９ビット幅でＳＥＲ４２に伝送され、ＳＥＲ４２によって１ビット（差動対１ペア）幅のシリアルデータに変換される。そして、そのシリアルデータはＢＷＢ４０を介してＴＲＸ３５のデシリアライザ５１に伝送される。デシリアライザ５１では、再度、９ビット幅の信号に復元され、多重処理部５２では、全てのＢＢ３６からの信号（９ビット幅の信号）が多重化される。
このように、下り方向信号の伝送では、ＢＢ３６からＴＲＸ３５への下り信号を、ＳＥＲ４２が小さいビット幅に変換し、ＢＷＢ４０を介して高速伝送させるため、ＢＢ３６とＴＲＸ３５間の伝送路幅が縮小され、限られた配線領域を有効に活用することができる。
一方、上り方向信号の伝送では、ＴＲＸ３５の受信処理部５３において無線端末２３からの無線信号が受信処理され、ＬＶＤＳ５４によって差動対１ペアのデータに変換される。そして、その差動対１ペアのデータはＢＷＢ４０及びＬＶＤＳ４３を介してＢＢ３６の復調部４４に伝送されて、スペクトル逆拡散処理が為される。
ここで、第５図は第４図の▲１▼及び▲３▼における下りＩＱバスのデータフォーマット示す説明図である。
第１バスライン６１，第２バスライン６２は、アンテナ３１から送信させるＩ成分信号を伝送する信号線であって、第１バスライン６１と第２バスライン６２とで１６ビットの信号を伝送する。同様に、第３バスライン６３，第４バスライン６４は、アンテナ３１から送信させるＱ成分信号を伝送する信号線であり、第５バスライン６５，第６バスライン６６は、アンテナ３２から送信させるＩ成分信号を伝送する信号線であり、第７バスライン６７，第８バスライン６８は、アンテナ３２から送信させるＱ成分信号を伝送する信号線である。
第９バスライン６９は、同期信号伝送用の信号線であり、先頭の１ビットには下りＩＱバスのヘルスチェック用垂直偶数パリティビットＰ（Ｉ０１，Ｉ８１，Ｑ０１，Ｑ８１，Ｉ０２，Ｉ８２，Ｑ０２，Ｑ８２の偶数パリティ）が配置され、後続の２ビットにはキャリア周波数通知用ビット（Ｆ０，Ｆ１）が配置され、最後尾の５ビットには同期用フラグが配置される。また、クロックライン６０には、第１バスライン６１から第９バスライン６９に並走される同期クロックがのせられる。
このように、同期信号伝送用の第９バスライン６９を使用して、パリティ信号を伝送するので、パリティ信号用のバスラインを別途設ける必要がなく、装置構成の簡略化を図ることができる。また、周波数通知信号も同期信号伝送用の第９バスライン６９を使用して伝送するので、周波数通知用のバスラインを別途設ける必要がなく、装置構成を更に簡略化することができる。
なお、ＴＲＸ３５の多重処理部５２がパリティビットＰに基づいて第４図における下りＩＱバスの伝送誤りを判定する。デシリアライザ５１の入力は内部でプルアップ（反転端子はプルダウン）されているため、入力である第４図の▲２▼がＯＰＥＮ状態になると、出力である第４図の▲３▼の信号のレベルが全て“Ｈ”となる。このとき、第１バスライン６１〜第９バスライン６９のＩ，Ｑ信号及び同期フラグは全て“Ｈ”となるため、上記のパリティチェックによって▲２▼における伝送路断も検出することができる。
ただし、ＢＢ３６が未実装である場合、▲２▼の伝送路が断している場合と同様に、第１バスライン６１〜第９バスライン６９のＩ，Ｑ信号及び同期フラグが全て“Ｈ”となる。従って、ＴＲＸ３５で下りＩＱバスの伝送路断の検出を行う場合、ＴＲＸ３５がＢＢ３６の実装情報を知る必要があるが、下りＩＱバスの伝送誤り情報、即ち、パリティチェック結果を上りＩＱバスに折り返してＢＢ３６に通知するようにすれば、実装情報通知用のバスラインを別途設けることなく、下りＩＱバスの伝送路断の検出を行うことができる。
次に、第６図は第４図の▲４▼における上りＩＱバスのデータフォーマットを示す説明図であり、第７図は第６図における伝送路のステータスビットＰ０，Ｐ１の伝送タイミングを示す説明図である。
ＴＲＸ３５の多重処理部５２が下りＩＱバスのパリティチェック結果を受信処理部５３を介して、第１バスライン７１〜第４バスライン７３の空きビットであるＰ０ビットを利用して、第７図に示す所定のタイミングで各ＢＢ３６の復調部４４に送信する。そして、各ＢＢ３６の復調部４４がＰ０ビットに格納された下りＩＱバスのパリティチェック結果を参照して、下りＩＱバスが断状態にあるか否かを判断する。
ここで、第７図における“ＴＲＸ”は、ＴＲＸ３５のステータスビットであって、ＴＲＸ３５が正常に動作しているか否かを示す判定ビットである。“ＢＢ１”〜“ＢＢ６０”は、各ＢＢ３６の下りＩＱバスデータのパリティチェック結果を示すビットである。また、Ｐ１ビットには“１０１０１０・・・・”の繰り返しデータを載せて、各ＢＢ３６の復調部４４で上りバスの正常動作確認を行えるようにしている。
また、Ｐ０ビットにおける“ＢＢ６０”の次の同期からは、上りＩＱバスの各Ｉデータの偶数パリティビット（Ｉ−Ｐ）を各ＢＢ３６の復調部４４に伝送する。さらに、Ｐ１ビットにおける“１０１０１０・・・・”の次の同期からは、各Ｑデータの偶数パリティビット（Ｑ−Ｐ）を各ＢＢ３６の復調部４４に伝送する。
各ＢＢ３６の復調部４４は、偶数パリティビット（Ｉ−Ｐ），（Ｑ−Ｐ）に基づいて、上りＩＱバスの伝送誤りを判定する。
【産業上の利用可能性】  以上のように、この発明に係る無線基地局装置は、有線ネットワークから出力された送信データを無線端末に送信し、その無線端末から送信された受信データを有線ネットワークに出力する際、ベースバンド信号処理部と無線送受信部間の信号のヘルスチェックを実施するものに適している。
【図１】
2004002045.tif 000003
【図２】
2004002045.tif 000004
【図３】
2004002045.tif 000005
【図４】
2004002045.tif 000006
【図５】
2004002045.tif 000007
【図６】
2004002045.tif 000008
【図７】
2004002045.tif 000009
【手続補正書】
【提出日】平成17年2月2日(2005.2.2)
【手続補正１】
【補正対象書類名】明細書
【補正対象項目名】全文
【補正方法】変更
【補正の内容】
【書類名】      明細書
【特許請求の範囲】
【請求項１】  有線ネットワークから出力された送信データをベースバンド信号処理して出力する一方、受信データをベースバンド信号処理して上記有線ネットワークに出力するベースバンド信号処理手段と、上記ベースバンド信号処理手段によりベースバンド信号処理された送信データを変調して、その変調信号をアンテナから送信させる一方、上記アンテナにより受信された変調信号を復調して、その復調信号である受信データを上記ベースバンド信号処理手段に出力する無線送受信手段とを備えた無線基地局装置において、上記無線送受信手段が送信データを変調する際、その送信データのエラー判定を実施して、その判定結果を上記ベースバンド信号処理手段に出力することを特徴とする無線基地局装置。
【請求項２】  有線ネットワークから出力された送信データをベースバンド信号処理して出力する一方、受信データをベースバンド信号処理して上記有線ネットワークに出力するベースバンド信号処理手段と、上記ベースバンド信号処理手段によりベースバンド信号処理された送信データを変調して、その変調信号をアンテナから送信させる一方、上記アンテナにより受信された変調信号を復調して、その復調信号である受信データを上記ベースバンド信号処理手段に出力する無線送受信手段とを備えた無線基地局装置において、上記ベースバンド信号処理手段が上記無線送受信手段から出力された受信データのエラー判定を実施することを特徴とする無線基地局装置。
【請求項３】  有線ネットワークから出力された送信データをベースバンド信号処理して出力する一方、受信データをベースバンド信号処理して上記有線ネットワークに出力するベースバンド信号処理手段と、上記ベースバンド信号処理手段によりベースバンド信号処理された送信データを変調して、その変調信号をアンテナから送信させる一方、上記アンテナにより受信された変調信号を復調して、その復調信号である受信データを上記ベースバンド信号処理手段に出力する無線送受信手段とを備えた無線基地局装置において、上記無線送受信手段が送信データを変調する際、その送信データのエラー判定を実施して、その判定結果を上記ベースバンド信号処理手段に出力する一方、上記ベースバンド信号処理手段が上記無線送受信手段から出力された受信データのエラー判定を実施し、その判定結果と上記無線送受信手段から出力された判定結果に基づいてヘルスチェックを実施することを特徴とする無線基地局装置。
【請求項４】  ベースバンド信号処理手段が送信データを無線送受信手段に出力する際、その送信データに対するパリティ信号を上記無線送受信手段に出力し、上記無線送受信手段が当該パリティ信号を参照して送信データのエラー判定を実施することを特徴とする請求の範囲第１項または第３項記載の無線基地局装置。
【請求項５】  ベースバンド信号処理手段は、同期信号伝送用の信号線を介して、送信データに対するパリティ信号を無線送受信手段に出力することを特徴とする請求の範囲第４項記載の無線基地局装置。
【請求項６】  無線送受信手段が受信データをベースバンド信号処理手段に出力する際、その受信データに対するパリティ信号を上記ベースバンド信号処理手段に出力し、上記ベースバンド信号処理手段が当該パリティ信号を参照して受信データのエラー判定を実施することを特徴とする請求の範囲第２項または第３項記載の無線基地局装置。
【請求項７】  無線送受信手段は、受信データ伝送用の信号線を介して、受信データに対するパリティ信号をベースバンド信号処理手段に出力することを特徴とする請求の範囲第６項記載の無線基地局装置。
【発明の詳細な説明】
【０００１】
技術分野
この発明は、ベースバンド信号処理部と無線送受信部間の信号のヘルスチェックを実施するＣＤＭＡ（Ｃｏｄｅ  Ｄｉｖｉｓｉｏｎ  Ｍｕｌｔｉｐｌｅ  Ａｃｃｅｓｓ：符号分割多元接続）方式の無線基地局装置に関するものである。
背景技術
第１図は従来の無線基地局装置を示す構成図であり、図において、１は複数の無線基地局装置２と有線伝送路を介して接続され、複数の無線基地局装置２を制御するネットワーク制御装置、２はネットワーク制御装置１から出力された送信データを無線端末３に送信し、その無線端末３から送信された受信データをネットワーク制御装置１に出力する無線基地局装置、３は無線端末である。
１１，１２は送信ダイバシティ及びダイバシティ受信を実施する一対のアンテナ、１３はアンテナ１１，１２により受信された無線信号である変調信号を増幅し、増幅後の変調信号を無線送受信部１５に出力する屋外受信増幅器、１４は無線送受信部１５から出力された無線信号である変調信号を増幅し、増幅後の変調信号をアンテナ１１，１２に出力する送信増幅器である。
１５はベースバンド信号処理部１６によりスペクトル拡散された送信データを変調して、その変調信号を送信増幅器１４に出力する一方、屋外受信増幅器１３から出力された変調信号を復調して、その復調信号である受信データをベースバンド信号処理部１６に出力する無線送受信部（以下、ＴＲＸ：Ｔｒａｎｓｍｉｔｔｅｒ  ＆  Ｒｅｃｅｉｖｅｒという）、１６は有線伝送路インタフェース部１７から出力された送信データをスペクトル拡散してＴＲＸ１５に出力する一方、ＴＲＸ１５から出力された受信データを逆スペクトル拡散して有線伝送路インタフェース部１７に出力するベースバンド信号処理部（以下、ＢＢ：Ｂａｓｅ  Ｂａｎｄ  ｓｉｇｎａｌ  Ｐｒｏｃｅｓｓｏｒという）である。
１７はネットワーク制御装置１から出力された送信データをＢＢ１６に出力し、ＢＢ１６から出力された受信データをネットワーク制御装置１に出力する有線伝送路インタフェース部、１８はネットワーク制御装置１と呼処理制御信号の送受信を実施し、その呼処理制御信号にしたがって送信データを変調するキャリア周波数の指定等を行う呼処理制御部、１９はネットワーク制御装置１と保守監視制御信号の送受信を実施し、その保守監視制御信号にしたがって無線基地局装置２の保守や状態変化を行う保守監視制御部である。
次に動作について説明する。
最初に、無線基地局装置２がネットワーク制御装置１から出力された送信データを無線端末３に送信する場合の動作を説明する。
無線基地局装置２の有線伝送路インタフェース部１７は、ネットワーク制御装置１が有線伝送路に送信データを出力すると、その有線伝送路から送信データを取り込んでＢＢ１６に出力する。
無線基地局装置２のＢＢ１６は、有線伝送路インタフェース部１７から送信データを受けると、その送信データに対する誤り訂正符号化処理やフレーム化処理を実施したのち、その送信データを相互に位相が直交するＩ成分とＱ成分に分離し、その信号系列（Ｉ，Ｑ）をそれぞれスペクトル拡散してＴＲＸ１５に出力する。
この際、ＢＢ１６は、呼処理制御部１８から信号系列（Ｉ，Ｑ）を変調するキャリア周波数を示す周波数通知信号（ｆＡ，ｆＢ，ｆＣ，ｆＤの４キャリアのうち、いずれかのキャリアを示す信号）を受けるので、その周波数通知信号をＴＲＸ１５に出力する。
無線基地局装置２のＴＲＸ１５は、ＢＢ１６からスペクトル拡散後の信号系列（Ｉ，Ｑ）と周波数通知信号を受けると、その周波数通知信号が示すキャリア周波数で信号系列（Ｉ，Ｑ）を直交変調し、その変調信号を送信増幅器１４に出力する。
なお、ＴＲＸ１５は、ＢＢ１６からスペクトル拡散後の信号系列（Ｉ，Ｑ）を受けると、その信号系列（Ｉ，Ｑ）に対するエラー判定を実施する。
無線基地局装置２の送信増幅器１４は、ＴＲＸ１５から変調信号を受けると、その変調信号を増幅し、増幅後の変調信号をアンテナ１１，１２に出力する。
これにより、アンテナ１１，１２から変調信号である無線信号が無線端末３に送信される。
次に、無線基地局装置２が無線端末３から送信された無線信号を受信して、その受信データをネットワーク制御装置１に出力する場合の動作を説明する。
無線基地局装置２の屋外受信増幅器１３は、アンテナ１１，１２が無線端末３から送信された無線信号をダイバシティ受信すると、その無線信号である変調信号を増幅し、増幅後の変調信号をＴＲＸ１５に出力する。
無線基地局装置２のＴＲＸ１５は、屋外受信増幅器１３から増幅後の変調信号を受けると、その変調信号のＩ成分とＱ成分を同期検波し、Ｉ成分とＱ成分のベースバンド信号をＢＢ１６に出力する。
無線基地局装置２のＢＢ１６は、ＴＲＸ１５からＩ成分とＱ成分のベースバンド信号を受けると、Ｉ成分とＱ成分のベースバンド信号に対する逆スペクトル拡散処理を実施して、チップ同期処理、誤り訂正復号処理やダイバーシチハンドオーバ時の最大比合成処理等を実施し、処理後のデータを受信データとして有線伝送路インタフェース部１７に出力する。
なお、ＢＢ１６は、Ｉ成分とＱ成分のベースバンド信号を受けると、そのベースバンド信号に対するエラー判定を実施する。
無線基地局装置２の有線伝送路インタフェース部１７は、ＢＢ１６から受信データを受けると、その受信データを有線伝送路を介してネットワーク制御装置１に出力する。
従来の無線基地局装置は以上のように構成されているので、ＢＢ１６の出力信号（下り方向信号）に対するエラー判定はＴＲＸ１５で実施され、ＴＲＸ１５の出力信号（上り方向信号）に対するエラー判定はＢＢ１６で実施されるが、双方の判定結果を総括して最終的な判定を行うことができないなどの課題があった。
この発明は上記のような課題を解決するためになされたもので、下り方向信号に対するエラーの判定結果と、上り方向信号に対するエラーの判定結果とを総括して最終的な判定を行うことができる無線基地局装置を得ることを目的とする。
【０００２】
発明の開示
この発明に係る無線基地局装置は、無線送受信手段が送信データを変調する際、その送信データのエラー判定を実施して、その判定結果をベースバンド信号処理手段に出力する一方、ベースバンド信号処理手段が無線送受信手段から出力された受信データのエラー判定を実施し、その判定結果と無線送受信手段から出力された判定結果に基づいてヘルスチェックを実施するようにしたものである。
このことによって、下り方向信号に対するエラーの判定結果と、上り方向信号に対するエラーの判定結果とを総括して最終的な判定を行うことができる効果がある。
この発明に係る無線基地局装置は、ベースバンド信号処理手段が送信データを無線送受信手段に出力する際、その送信データに対するパリティ信号を無線送受信手段に出力し、無線送受信手段が当該パリティ信号を参照して送信データのエラー判定を実施するようにしたものである。
このことによって、構成の複雑化を招くことなく、エラー判定を実施することができる効果がある。
この発明に係る無線基地局装置は、ベースバンド信号処理手段が同期信号伝送用の信号線を介して、送信データに対するパリティ信号を無線送受信手段に出力するようにしたものである。
このことによって、装置構成を簡略化することができる効果がある。
この発明に係る無線基地局装置は、無線送受信手段が受信データをベースバンド信号処理手段に出力する際、その受信データに対するパリティ信号をベースバンド信号処理手段に出力し、ベースバンド信号処理手段が当該パリティ信号を参照して受信データのエラー判定を実施するようにしたものである。
このことによって、構成の複雑化を招くことなく、エラー判定を実施することができる効果がある。
この発明に係る無線基地局装置は、無線送受信手段が受信データ伝送用の信号線を介して、受信データに対するパリティ信号と判定結果をベースバンド信号処理手段に出力するようにしたものである。
このことによって、装置構成を簡略化することができる効果がある。
【０００３】
発明を実施するための最良の形態
以下、この発明をより詳細に説明するために、この発明を実施するための最良の形態について、添付の図面に従って説明する。
実施の形態１．
第２図はこの発明の実施の形態１による無線基地局装置を示す構成図であり、図において、２１は複数の無線基地局装置２２と有線伝送路を介して接続され、複数の無線基地局装置２２を制御するネットワーク制御装置（有線ネットワーク）、２２はネットワーク制御装置２１から出力された送信データを無線端末２３に送信し、その無線端末２３から送信された受信データをネットワーク制御装置２１に出力する無線基地局装置、２３は無線端末である。
３１，３２は送信ダイバシティ及びダイバシティ受信を実施する一対のアンテナ、３３はアンテナ３１，３２により受信された無線信号である変調信号を増幅し、増幅後の変調信号をＴＲＸ３５に出力する屋外受信増幅器、３４はＴＲＸ３５から出力された無線信号である変調信号を増幅し、増幅後の変調信号をアンテナ３１，３２に出力する送信増幅器である。
３５はＢＢ３６によりスペクトル拡散された送信データを変調して、その変調信号を送信増幅器３４に出力する一方、屋外受信増幅器３３から出力された変調信号を復調して、その復調信号である受信データをＢＢ３６に出力する無線送受信部であるＴＲＸ（無線送受信手段）、３６は有線伝送路インタフェース部３７から出力された送信データをスペクトル拡散してＴＲＸ３５に出力する一方、ＴＲＸ３５から出力された受信データを逆スペクトル拡散して有線伝送路インタフェース部３７に出力するベースバンド信号処理部であるＢＢ（拡散処理手段）、３７はネットワーク制御装置２１から出力された送信データをＢＢ３６に出力し、ＢＢ３６から出力された受信データをネットワーク制御装置２１に出力する有線伝送路インタフェース部である。
３８はネットワーク制御装置２１と呼処理制御信号の送受信を実施し、その呼処理制御信号にしたがって送信データを変調するキャリア周波数の指定等を行う呼処理制御部、３９はネットワーク制御装置２１と保守監視制御信号の送受信を実施し、その保守監視制御信号にしたがって無線基地局装置２２の保守や状態変化を行う保守監視制御部である。
次に動作について説明する。
最初に、無線基地局装置２２がネットワーク制御装置２１から出力された送信データを無線端末２３に送信する場合の動作を説明する。
無線基地局装置２２の有線伝送路インタフェース部３７は、ネットワーク制御装置２１が有線伝送路に送信データを出力すると、その有線伝送路から送信データを取り込んでＢＢ３６に出力する。
無線基地局装置２２のＢＢ３６は、有線伝送路インタフェース部３７から送信データを受けると、その送信データに対する誤り訂正符号化処理やフレーム化処理を実施したのち、その送信データを相互に位相が直交するＩ成分とＱ成分に分離し、その信号系列（Ｉ，Ｑ）をそれぞれスペクトル拡散してＴＲＸ３５に出力する。
この際、ＢＢ３６は、呼処理制御部３８から信号系列（Ｉ，Ｑ）を変調するキャリア周波数を示す周波数通知信号（ｆＡ，ｆＢ，ｆＣ，ｆＤの４キャリアのうち、いずれかのキャリアを示す信号）を受けるので、その周波数通知信号をＴＲＸ３５に出力する。また、ＴＲＸ３５が下り方向信号である信号系列（Ｉ，Ｑ）のエラー判定を実施できるようにするため、その信号系列（Ｉ，Ｑ）に対するパリティ信号をＴＲＸ３５に出力する。
無線基地局装置２２のＴＲＸ３５は、ＢＢ３６からスペクトル拡散後の信号系列（Ｉ，Ｑ）と周波数通知信号とパリティ信号とを受けると、その周波数通知信号が示すキャリア周波数で信号系列（Ｉ，Ｑ）を直交変調し、その変調信号を送信増幅器３４に出力する。
また、ＴＲＸ３５は、スペクトル拡散後の信号系列（Ｉ，Ｑ）とパリティ信号に基づいて、その信号系列（Ｉ，Ｑ）に対するエラー判定を実施する。
無線基地局装置２２の送信増幅器３４は、ＴＲＸ３５から変調信号を受けると、その変調信号を増幅し、増幅後の変調信号をアンテナ３１，３２に出力する。
これにより、アンテナ３１，３２から変調信号である無線信号が無線端末２３に送信される。
次に、無線基地局装置２２が無線端末２３から送信された無線信号を受信して、その受信データをネットワーク制御装置２１に出力する場合の動作を説明する。
無線基地局装置２２の屋外受信増幅器３３は、アンテナ３１，３２が無線端末２３から送信された無線信号をダイバシティ受信すると、その無線信号である変調信号を増幅し、増幅後の変調信号をＴＲＸ３５に出力する。
無線基地局装置２２のＴＲＸ３５は、屋外受信増幅器３３から増幅後の変調信号を受けると、その変調信号のＩ成分とＱ成分を同期検波し、Ｉ成分とＱ成分のベースバンド信号をＢＢ３６に出力する。
この際、ＴＲＸ３５は、上述した下り方向信号に対するエラーの判定結果と、上り方向信号であるＩ成分とＱ成分のベースバンド信号に対するパリティ信号とをＢＢ３６に出力する。
無線基地局装置２２のＢＢ３６は、ＴＲＸ３５からＩ成分及びＱ成分のベースバンド信号と、下り方向信号に対するエラーの判定結果と、上り方向信号に対するパリティ信号とを受けると、Ｉ成分とＱ成分のベースバンド信号に対する逆スペクトル拡散処理を実施して、チップ同期処理、誤り訂正復号処理やダイバーシチハンドオーバ時の最大比合成処理等を実施し、処理後のデータを受信データとして有線伝送路インタフェース部３７に出力する。
また、ＢＢ３６は、Ｉ成分及びＱ成分のベースバンド信号と、上り方向信号に対するパリティ信号とに基づいて、そのベースバンド信号に対するエラー判定を実施する。
そして、ＢＢ３６は、上り方向信号に対するエラーの判定結果と、下り方向信号に対するエラーの判定結果とから、双方の判定結果を総括して最終的な判定（ヘルスチェック）を行う。例えば、上り方向信号に対するエラーの判定結果が“正常”を示し、かつ、下り方向信号に対するエラーの判定結果が“正常”を示すとき、無線基地局装置２２が正常であると認定し、それ以外のとき異常であると認定する。
無線基地局装置２２の有線伝送路インタフェース部３７は、ＢＢ３６から受信データを受けると、その受信データを有線伝送路を介してネットワーク制御装置２１に出力する。
以上で明らかなように、この実施の形態１によれば、ＴＲＸ３５が送信データを変調する際、その送信データのエラー判定を実施して、その判定結果をＢＢ３６に出力する一方、ＢＢ３６がＴＲＸ３５から出力された受信データのエラー判定を実施し、その判定結果とＴＲＸ３５から出力された判定結果に基づいてヘルスチェックを実施するように構成したので、下り方向信号に対するエラーの判定結果と、上り方向信号に対するエラーの判定結果とを総括して最終的な判定を行うことができる効果を奏する。
実施の形態２．
上記実施の形態１では、ＢＢ３６が信号系列（Ｉ，Ｑ）に対するパリティ信号をＴＲＸ３５に出力するものについて示したが、同期信号伝送用の信号線を介して、信号系列（Ｉ，Ｑ）に対するパリティ信号をＴＲＸ３５に出力するようにしてもよい。
また、ＴＲＸ３５は、受信データ伝送用の信号線を介して、下り方向信号に対するエラーの判定結果と、Ｉ成分とＱ成分のベースバンド信号に対するパリティ信号とをＢＢ３６に出力するようにしてもよい。
具体的には次の通りである。
第３図は第２図の無線基地局装置２２の物理的構成を示す物理構成図である。
ＴＲＸ３５、ＢＢ３６、有線伝送路インタフェース部３７、呼処理制御部３８及び保守監視制御部３９は、カード型のプリント配線基板によって構成される。無線基地局装置２２の筐体には、各カードを格納するためのシェルフが形成され、背面側には格納されたカード同士を接続するためのバックボード（ＢＷＢ：Ｂａｃｋｗｉｒｅｄ  Ｂｏａｒｄ）４０が配置される。
上段シェルフに格納されたＴＲＸ３５は、キャリア周波数ｆＡ，ｆＢのいずれかで直交変調を実施し、下段シェルフに格納されたＴＲＸ３５は、キャリア周波数ｆＣ，ｆＤのいずれかで直交変調を実施する。また、上段及び下段の両シェルフに格納された全てのＢＢ３６は、４キャリア（ｆＡ〜ｆＤ）のいずれのキャリア周波数にも対応可能であり、呼処理制御部３８からの指令によって担当するキャリア周波数を動的に割当てることができる。
第４図は第２図のＢＢ３６とＴＲＸ３５間の上り／下り信号伝送を示す説明図である。
各ＢＢ３６は、変調部４１、シリアライザであるＳＥＲ（Ｓｅｒｉａｌｉｚｅｒ）４２、ＬＶＤＳ（Ｌｏｗ  Ｖｏｌｔａｇｅ  Ｄｉｆｆｅｒｅｎｔｉａｌ  Ｓｉｇｎａｌｉｎｇ）４３及び復調部４４を備えており、ＴＲＸ３５はデシリアライザ５１、多重処理部５２、受信処理部５３及びＬＶＤＳ５４を備えている。
下り方向信号の伝送では、ＢＢ３６の変調部４１において拡散変調された信号が９ビット幅でＳＥＲ４２に伝送され、ＳＥＲ４２によって１ビット（差動対１ペア）幅のシリアルデータに変換される。そして、そのシリアルデータはＢＷＢ４０を介してＴＲＸ３５のデシリアライザ５１に伝送される。デシリアライザ５１では、再度、９ビット幅の信号に復元され、多重処理部５２では、全てのＢＢ３６からの信号（９ビット幅の信号）が多重化される。
このように、下り方向信号の伝送では、ＢＢ３６からＴＲＸ３５への下り信号を、ＳＥＲ４２が小さいビット幅に変換し、ＢＷＢ４０を介して高速伝送させるため、ＢＢ３６とＴＲＸ３５間の伝送路幅が縮小され、限られた配線領域を有効に活用することができる。
一方、上り方向信号の伝送では、ＴＲＸ３５の受信処理部５３において無線端末２３からの無線信号が受信処理され、ＬＶＤＳ５４によって差動対１ペアのデータに変換される。そして、その差動対１ペアのデータはＢＷＢ４０及びＬＶＤＳ４３を介してＢＢ３６の復調部４４に伝送されて、スペクトル逆拡散処理が為される。
ここで、第５図は第４図の（１）及び（３）における下りＩＱバスのデータフォーマット示す説明図である。
第１バスライン６１，第２バスライン６２は、アンテナ３１から送信させるＩ成分信号を伝送する信号線であって、第１バスライン６１と第２バスライン６２とで１６ビットの信号を伝送する。同様に、第３バスライン６３，第４バスライン６４は、アンテナ３１から送信させるＱ成分信号を伝送する信号線であり、第５バスライン６５，第６バスライン６６は、アンテナ３２から送信させるＩ成分信号を伝送する信号線であり、第７バスライン６７，第８バスライン６８は、アンテナ３２から送信させるＱ成分信号を伝送する信号線である。
第９バスライン６９は、同期信号伝送用の信号線であり、先頭の１ビットには下りＩＱバスのヘルスチェック用垂直偶数パリティビットＰ（Ｉ０1，Ｉ８1，Ｑ０1，Ｑ８1，Ｉ０2，Ｉ８2，Ｑ０2，Ｑ８2の偶数パリティ）が配置され、後続の２ビットにはキャリア周波数通知用ビット（Ｆ０，Ｆ１）が配置され、最後尾の５ビットには同期用フラグが配置される。また、クロックライン６０には、第１バスライン６１から第９バスライン６９に並走される同期クロックがのせられる。
このように、同期信号伝送用の第９バスライン６９を使用して、パリティ信号を伝送するので、パリティ信号用のバスラインを別途設ける必要がなく、装置構成の簡略化を図ることができる。また、周波数通知信号も同期信号伝送用の第９バスライン６９を使用して伝送するので、周波数通知用のバスラインを別途設ける必要がなく、装置構成を更に簡略化することができる。
なお、ＴＲＸ３５の多重処理部５２がパリティビットＰに基づいて第４図における下りＩＱバスの伝送誤りを判定する。デシリアライザ５１の入力は内部でプルアップ（反転端子はプルダウン）されているため、入力である第４図の（２）がＯＰＥＮ状態になると、出力である第４図の（３）の信号のレベルが全て“Ｈ”となる。このとき、第１バスライン６１〜第９バスライン６９のＩ，Ｑ信号及び同期フラグは全て“Ｈ”となるため、上記のパリティチェックによって（２）における伝送路断も検出することができる。  ただし、ＢＢ３６が未実装である場合、（２）の伝送路が断している場合と同様に、第１バスライン６１〜第９バスライン６９のＩ，Ｑ信号及び同期フラグが全て“Ｈ”となる。従って、ＴＲＸ３５で下りＩＱバスの伝送路断の検出を行う場合、ＴＲＸ３５がＢＢ３６の実装情報を知る必要があるが、下りＩＱバスの伝送誤り情報、即ち、パリティチェック結果を上りＩＱバスに折り返してＢＢ３６に通知するようにすれば、実装情報通知用のバスラインを別途設けることなく、下りＩＱバスの伝送路断の検出を行うことができる。
次に、第６図は第４図の（４）における上りＩＱバスのデータフォーマットを示す説明図であり、第７図は第６図における伝送路のステータスビットＰ０，Ｐ１の伝送タイミングを示す説明図である。
ＴＲＸ３５の多重処理部５２が下りＩＱバスのパリティチェック結果を受信処理部５３を介して、第１バスライン７１〜第４バスライン７３の空きビットであるＰ０ビットを利用して、第７図に示す所定のタイミングで各ＢＢ３６の復調部４４に送信する。そして、各ＢＢ３６の復調部４４がＰ０ビットに格納された下りＩＱバスのパリティチェック結果を参照して、下りＩＱバスが断状態にあるか否かを判断する。
ここで、第７図における“ＴＲＸ”は、ＴＲＸ３５のステータスビットであって、ＴＲＸ３５が正常に動作しているか否かを示す判定ビットである。“ＢＢ１”〜“ＢＢ６０”は、各ＢＢ３６の下りＩＱバスデータのパリティチェック結果を示すビットである。また、Ｐ１ビットには“１０１０１０・・・・”の繰り返しデータを載せて、各ＢＢ３６の復調部４４で上りバスの正常動作確認を行えるようにしている。
また、Ｐ０ビットにおける“ＢＢ６０”の次の同期からは、上りＩＱバスの各Ｉデータの偶数パリティビット（Ｉ−Ｐ）を各ＢＢ３６の復調部４４に伝送する。さらに、Ｐ１ビットにおける“１０１０１０・・・・”の次の同期からは、各Ｑデータの偶数パリティビット（Ｑ−Ｐ）を各ＢＢ３６の復調部４４に伝送する。
各ＢＢ３６の復調部４４は、偶数パリティビット（Ｉ−Ｐ），（Ｑ−Ｐ）に基づいて、上りＩＱバスの伝送誤りを判定する。
【０００４】
産業上の利用可能性
以上のように、この発明に係る無線基地局装置は、有線ネットワークから出力された送信データを無線端末に送信し、その無線端末から送信された受信データを有線ネットワークに出力する際、ベースバンド信号処理部と無線送受信部間の信号のヘルスチェックを実施するものに適している。
【図面の簡単な説明】
【図１】  従来の無線基地局装置を示す構成図である。
【図２】  この発明の実施の形態１による無線基地局装置を示す構成図である。
【図３】  無線基地局装置２２の物理的構成を示す物理構成図である。
【図４】  ＢＢ３６とＴＲＸ３５間の上り／下り信号伝送を示す説明図である。
【図５】  第４図の（１）及び（３）における下りＩＱバスのデータフォーマット示す説明図である。
【図６】  第４図の（４）における上りＩＱバスのデータフォーマットを示す説明図である。
【図７】  第６図における伝送路のステータスビットＰ０，Ｐ１の伝送タイミングを示す説明図である。
【手続補正２】
【補正対象書類名】図面
【補正対象項目名】図４
【補正方法】変更
【補正の内容】
【図４】
2004002045.tif 000010
【国際調査報告】
2004002045.tif 000011
2004002045.tif 000012
2004002045.tif 000013